(57)【要約】【課題】モルタル充填時のドラム缶の開口部の口金の変形を防止し、モルタル打設後、確実に天板により蓋することを可能とする。【解決手段】変形防止用治具１８０は、円筒形状で、その下面には全周にわたりドラム缶３８の口金１８１を狭持状態に嵌合する断面逆Ｕ字形の溝部１８２と、内周面に一体に突設するモルタルガイド１８３と、天板１８４の下部断面形状に等しい内周面の下部の傾斜面１８０ａとを有する。変形防止用治具１８０を設置後、ドラム缶３８にモルタルを充填するとドラム缶３８の胴体に側圧が作用し、胴体が膨らみ変形するが、開口部の口金１８１及び口金部の内径は変形防止用治具１８０により固定されているために変形しない。【選択図】図３（ａ）
2007204076.tif 000002
【特許請求の範囲】
【請求項１】
ドラム缶にモルタルを充填する際のドラム缶の開口部の口金の変形を防止する治具であって、
円筒形状を有し、下面に全周にわたりドラム缶の口金を挟持状態に嵌合する溝部が刻設されていることを特徴とするドラム缶の変形防止用治具。
【請求項２】
請求項１に記載の変形防止用治具において、内周面にリング状の補強材を設けたことを特徴とするドラム缶の変形防止用治具。
【発明の詳細な説明】
【技術分野】
【０００１】
本発明は、モルタル充填によるドラム缶の開口部の口金の変形を防止するための変形防止用治具に関する。
【背景技術】
【０００２】
原子力発電所で発生する低レベル放射性廃棄物のうち雑固体廃棄物は、ドラム缶に詰められ、モルタル等の充填材にて充填されて所定の埋設場に埋設処分されるが、埋設場の広さには限りがあるので、雑固体廃棄物を減容し、埋設されるドラム缶の数を少なくすることが好ましい。そこで、雑固体廃棄物の減容方法として、例えば、高周波誘導加熱方式による溶融減容設備が導入されている。
【０００３】
具体的には、溶融減容設備は、雑固体廃棄物を溶融炉内にセットしたキャニスタ内で溶融して減容し、固化させた後、キャニスタごとドラム缶に詰め、モルタル等の固型化材料を充填して廃棄体とするものである。
【０００４】
また、溶融することにより溶融設備の性能に影響を与える、例えば、難燃性の塩化ビニル類、ゴム類等及び真鍮等の非鉄金属類は直接充填物として、そのままドラム缶に詰められ、モルタル等の固型化材料を充填されて廃棄体となる。
【発明の開示】
【発明が解決しようとする課題】
【０００５】
しかしながら、従来のモルタルの充填方法では、図６に示すように、例えば、直接充填物７が詰められたドラム缶にモルタルを充填すると、ドラム缶の胴体に側圧が作用して（図６の矢印方向）胴体が膨らみ、この変形に伴い開口部の口金１８１及び口金部の内径が楕円形状に変形し、天板１８４を蓋することができなくなるという問題点があった。
【０００６】
また、天板を蓋できなくなると、別のドラム缶にモルタルごと中身を移設しなければならないため、移設の手間がかかるという問題点があった。
【０００７】
そこで、本発明は、上記問題点を解決するものであり、その目的は、モルタルの側圧によるドラム缶開口部の口金の変形を防止し、モルタル打設後、確実に天板を蓋できるようにしたドラム缶の変形防止用治具を提供するものである。
【課題を解決するための手段】
【０００８】
上記問題を解決する本発明のドラム缶の変形防止用治具は、ドラム缶にモルタルを充填する際のドラム缶の開口部の口金の変形を防止する治具であって、円筒形状を有し、下面に全周にわたりドラム缶の口金を挟持状態に嵌合する溝部が刻設されていることを特徴とする（第１の発明）。
【０００９】
第２の発明は、第１の発明の変形防止用治具において、内周面にリング状の補強材を設けたことを特徴とする。
【発明の効果】
【００１０】
本発明によれば、モルタル充填時のドラム缶の開口部の口金の変形を防止し、モルタル打設後、確実に天板により蓋することが可能となる。
【発明を実施するための最良の形態】
【００１１】
以下、本発明の実施形態について図面を用いて詳細に説明する。図１は本発明の第一実施形態における雑固体廃棄物処理設備の全体構成を示す図である。なお、図６と同一箇所には同一符号を付し、重複説明を省略する。この雑固体廃棄物溶融設備は、雑固体廃棄物を仕分けする前処理設備１と、仕分けされた雑固体廃棄物のうち溶融可能な廃棄物を溶融するための溶融設備２と、溶融終了後の溶融廃棄物３１を収納したドラム缶に、モルタルを充填して充填固化体とするモルタル固化設備３と、充填固化体を一時保管する保管設備４からなる。
【００１２】
モルタル固化設備３にて、サイロ３３から投入機３４を経て固形化材を連続的に練り混ぜ機３５に送込み、同時に取込まれた水とともに練り混ぜたモルタルをホッパ３６を通じてドラム缶３８内に注入充填し、溶融廃棄物３１又は直接充填物７はモルタルで固化され、充填固化体３７となる。
【００１３】
図２は本発明の第一実施形態におけるドラム缶の開口部の口金の変形防止用治具の斜視図である。図２に示すとおり、ドラム缶３８は、例えば、２００リットル・オープンタイプとする。ドラム缶３８の開口部の口金１８１に冠せられる変形防止用治具１８０は、円筒形状で、その下面には全周にわたりドラム缶３８の口金１８１を狭持状態に嵌合する断面逆Ｕ字形の溝部１８２と、内周面に一体に突設するリング状のモルタルガイド１８３と、天板１８４の下部断面形状に等しい内周面の下部の傾斜面１８０ａとを有する。変形防止用治具１８０の材質は、例えば、鉄などの高剛性素材である。
【００１４】
モルタルガイド１８３を設けることにより、変形防止用治具１８０の水平断面及び鉛直断面の断面係数が大きくなり、口金及び口金部の内径は変形しにくくなる。
【００１５】
図３は本発明の実施形態におけるドラム缶の変形防止用治具を装着した状態での（ａ）モルタル充填前、（ｂ）モルタル充填中、（ｃ）モルタル充填後を示すドラム缶の断面図である。図３（ａ）に示すとおり、変形防止用治具１８０の溝部１８２をドラム缶開口部の口金１８１に嵌合して設置する。変形防止用治具１８０は溝部１８２を口金１８１にはめ込むだけであり、簡単に脱着可能である。
【００１６】
変形防止用治具１８０を設置後、図３（ｂ）に示すようにドラム缶３８にモルタルを充填すると、ドラム缶３８の胴体に側圧が作用し（図３（ｂ）の矢印方向）、胴体が膨らみ変形するが、開口部の口金１８１及び口金部の内径は変形防止用治具１８０により固定されているために変形しない。
【００１７】
モルタルがモルタルガイド１８３の下面に接する状態をモルタル充填の終了時と判断する。
【００１８】
そして、モルタル硬化後、変形防止用治具１８０をドラム缶３８から取り外しても口金１８１及び口金部の内径は変形していないために図３（ｃ）に示すとおり、天板１８４を蓋することが可能である。
【００１９】
その後、ボルト締付け式バンド（図示しない）等により天板１８４の周囲に形成されたカール加工部を締付けることで、天板１８４はドラム缶３８に気密に固定される。
【００２０】
図４は本発明の第二実施形態におけるドラム缶の開口部の口金の変形防止用治具の斜視図である。図４に示すとおり、変形防止用治具１８５は、変形防止用治具１８０の任意の一箇所に所定幅の割溝１８６を形成するとともに、変形防止用治具１８５の両端外周部に一体に突設する一対のクランプブロック１８７を備える。
【００２１】
変形防止用治具１８５は、一対のクランプブロック１８７間に蝶ボルト１８８をねじ込んで締付けることで、変形防止用治具１８５を縮径可能とし、ドラム缶３８に対する装着状態において縮径方向の圧縮力を加えることが可能である。
【００２２】
変形防止用治具１８５は蝶ボルト１８８の締付けにより口金１８１に縮径方向の拘束力を加えるとともに、蝶ボルト１８８を緩めるだけで簡単に取り外しが可能である。
【００２３】
図５は本発明の第三実施形態におけるドラム缶の開口部の口金の変形防止用治具の平面図である。図５に示すとおり、変形防止用治具１８９は、Ω字形状を有する一対の半割れ治具１９０であり、両半割れ治具１９０の両端部にそれぞれ一体に突設するクランプブロック１９１を備える。
【００２４】
変形防止用治具１８９は、一対の半割れ治具１９０を対向させ、対向位置にあるクランプブロック１９１間に蝶ボルト１８８をねじ込んで締付けることで変形防止用治具１８９を縮径可能とし、ドラム缶３８に対する装着状態において縮径方向の圧縮力を加えることが可能である。
【図面の簡単な説明】
【００２５】
【図１】本発明の第一実施形態における雑固体廃棄物処理設備の全体構成を示す図である。
【図２】本発明の第一実施形態におけるドラム缶の開口部の口金の変形防止用治具の斜視図である。
【図３（ａ）】本発明の実施形態におけるドラム缶の変形防止用治具を装着した状態でのモルタル充填前を示すドラム缶の断面図である。
【図３（ｂ）】本発明の実施形態におけるドラム缶の変形防止用治具を装着した状態でのモルタル充填中を示すドラム缶の断面図である。
【図３（ｃ）】本発明の実施形態におけるドラム缶の変形防止用治具を装着した状態でのモルタル充填後を示すドラム缶の断面図である。
【図４】本発明の第二実施形態におけるドラム缶の開口部の口金の変形防止用治具の斜視図である。
【図５】本発明の第三実施形態におけるドラム缶の開口部の口金の変形防止用治具の平面図である。
【図６】従来におけるモルタル充填時のドラム缶の状体を示すドラム缶の断面図である。
【符号の説明】
【００２６】
１  前処理設備                      ２  溶融設備
３  モルタル固化設備                ４  保管設備
５  雑固体廃棄物                    ６  処理対象外廃棄物
７  直接充填物                      ８  溶融対象物
９  仕分け台                        １１  投入容器
１２  キャニスタ                    １３  収納手段
１４、１６  搬出手段                １５、３２、３８  ドラム缶
３１  溶融廃棄物                    ３３  固形化材サイロ
３４  固形化材投入機                ３５  練り混ぜ機
３６  ホッパ                        ３７  充填固化体
１８０  変形防止用治具              １８１  口金
１８２  溝部                        １８３  モルタルガイド
１８４  天板                        １８５  変形防止用治具
１８６  割溝                        １８７  クランプブロック
１８８  蝶ボルト                    １８９  変形防止用治具
１９０  半割れ治具                  １９１  クランプブロック
【図１】
2007204076.tif 000003
【図２】
2007204076.tif 000004
【図３（ａ）】
2007204076.tif 000005
【図３（ｂ）】
2007204076.tif 000006
【図３（ｃ）】
2007204076.tif 000007
【図４】
2007204076.tif 000008
【図５】
2007204076.tif 000009
【図６】
2007204076.tif 000010